(57)【特許請求の範囲】
【請求項１】
ＴＤＤ方式で作動している無線通信ネットワーク（７００；１３００）において作動するように構成されたユーザ機器（５００；５００ａ，５００ｂ）であって、前記ＴＤＤ方式は複数のＴＤＤフレームを含み、各ＴＤＤフレームは前記ＴＤＤフレームの下りリンクシンボル（１１４；２０４1）と上りリンクシンボル（１１６；２０４3）との間に配置された無送信区間（ＧＰ；２０４2）を含み、
前記ユーザ機器（５００；５００ａ，５００ｂ）は、前記無送信区間（ＧＰ；２０４2）の間に第１の数のシンボル（２２６ａ）を受信するように構成される、または、
前記ユーザ機器（５００；５００ａ，５００ｂ）は、前記上りリンクシンボル（１１６；２０４3）を送信し、前記上りリンクシンボル（１１６；２０４3）を送信する前に第２の数のシンボル（２２６ｂ；２２６ｃ）を送信するように構成され、
ここで、前記ユーザ機器は、前記第１の数のシンボル（２２６ａ）を受信する前に第１の周波数帯域（ｆ1）において前記下りリンクシンボル（１１４；２０４1）を受信し、第２の周波数帯域（ｆ3）において前記第１の数のシンボル（２２６ａ）を受信するように構成される、または、
前記上りリンクシンボル（１１６；２０４３）を前記第１の周波数帯域（ｆ1）において送信し、前記第２の数のシンボル（２２６ｂ；２２６ｃ）を第２の周波数帯域（ｆ3）において送信するように構成される、ユーザ機器（５００；５００ａ，５００ｂ）。
【請求項２】
前記ユーザ機器（５００；５００ａ，５００ｂ）は、前記無送信区間（ＧＰ；２０４2）の間に前記第１の数のシンボル（２２６ａ）を受信し、前記上りリンクシンボル（１１６；２０４3）を送信する前に、前記第２の数のシンボル（２２６ｂ；２２６ｃ）を送信するように構成される、請求項１に記載のユーザ機器（５００；５００ａ，５００ｂ）。
【請求項３】
前記第１の数のシンボル（２２６ａ）のカウントは、前記ＴＤＤ方式における前記ユーザ機器（５００；５００ａ，５００ｂ）のタイミングアドバンス（ＴＡ）に関連し、ここで、タイミングアドバンス（ＴＡ）を増加させることによって、前記第１のシンボルの数（２２６ａ）の前記カウントが減少する、または、
前記第２の数のシンボル（２２６ｂ；２２６ｃ）のカウントは、前記ＴＤＤ方式における前記ユーザ機器（５００；５００ａ，５００ｂ）のタイミングアドバンス（ＴＡ）に関連し、ここで、前記タイミングアドバンス（ＴＡ）を増加させることによって、第２のシンボル数（２２６ｂ，２２６ｃ）の前記カウントが減少する、請求項１または請求項２に記載のユーザ機器（５００；５００ａ，５００ｂ）。
【請求項４】
前記ユーザ機器（５００；５００ａ，５００ｂ）は、前記ＴＤＤ方式における前記ユーザ機器（５００；５００ａ，５００ｂ）のタイミングアドバンス（ＴＡ）に基づいて前記第１または第２の数のシンボル（２２６，２２６ｂ；２２６ｃ）のカウントを決定するように構成される、請求項１ないし請求項３のいずれかに記載のユーザ機器（５００；５００ａ，５００ｂ）。
【請求項５】
前記ユーザ機器（５００；５００ａ，５００ｂ）はモバイル端末である、請求項１ないし請求項４のいずれかに記載のユーザ機器（５００；５００ａ，５００ｂ）。
【請求項６】
ＴＤＤ方式で作動している無線通信ネットワーク（７００）の無線通信ネットワークセル（１００；１００1，１００2）を制御するように構成された基地局（６００；６００ａ，６００ｂ）であって、前記ＴＤＤ方式は複数のＴＤＤフレームを含み、各ＴＤＤフレームは前記ＴＤＤフレームの下りリンクシンボル（１１４；２０４1）と上りリンクシンボル（１１６；２０４3）との間に配置された無送信区間（ＧＰ；２０４2）を含み、
前記基地局（６００；６００ａ，６００ｂ）は、前記無送信区間（ＧＰ；２０４2）の間に第１の数のシンボル（２２６ａ）を送信するように構成される、または
前記基地局（６００；６００ａ，６００ｂ）は、前記上りリンクシンボル（１１６；２０４3）を受信し、前記上りリンクシンボル（１１６；２０４3）の受信に先行して第２の数のシンボル（２２６ｂ；２２６ｃ）を受信するように構成され、
前記基地局は、前記下りリンクシンボル（１１４；２０４1）を第１の周波数帯域（ｆ１）において送信し、前記第１の数のシンボル（２２６ａ）を第２の周波数帯域（ｆ３）で送信するように構成される、または、
前記基地局は、前記上りリンクシンボル（１１６；２０４3）を前記第１の周波数帯域（ｆ1）において受信し、前記第２の数のシンボル（２２６ｂ；２２６ｃ）を前記第２の周波数帯域（ｆ3）において受信するように構成される、基地局（６００；６００ａ，６００ｂ）。
【請求項７】
前記基地局は、前記基地局と通信している前記ユーザ機器（５００；５００ａ，５００ｂ）を制御して、前記無送信区間（ＧＰ；２０４2）の間に前記第１の数のシンボル（２２６ａ）を受信するように構成される、または
前記基地局は、前記ユーザ機器（５００；５００ａ，５００ｂ）を制御して、前記上りリンクシンボル（１１６；２０４3）を送信し、前記上りリンクシンボル（１１６；２０４3）を送信する前に第２の数のシンボル（２２６ｂ；２２６ｃ）を送信するように構成される、請求項６に記載の基地局（６００；６００ａ，６００ｂ）。
【請求項８】
前記基地局は、作動中の前記無線通信ネットワークセル（１００；１００1，１００2）における複数のユーザ機器（５００；５００ａ，５００ｂ）について、前記第２の数のシンボル（２２６ｂ，２２６ｃ）のうちの最大数を共通に制御するように構成される、請求項７に記載の基地局。
【請求項９】
前記ユーザ機器（５００；５００ａ，５００ｂ）は、第１のユーザ機器（５００ａ）であり、
前記基地局は、前記基地局（６００）と通信する第２のユーザ機器（５００ｂ）を制御して、前記無送信区間（ＧＰ；２０４2）に間に第３の数のシンボルを受信する、または、さらなる上りリンクシンボルを送信して、前記さらなる上りリンクシンボル（１１６；２０４3）を送信する前に第４の数のシンボルを送信するように構成され、そして、
前記基地局は、前記第１の数（２２６ａ，２２６ｃ）および前記第２の数（２２６ｂ）のうちの少なくとも１つ、ならびに前記第３の数および前記第４の数のうちの少なくとも１つは、前記第１および第２のユーザ機器（５００ａ，５００ｂ）についてデバイス依存であるように、前記第１および第２のユーザ機器（５００ａ，５００ｂ）を制御するように構成される、請求項６ないし請求項８のいずれかに記載の基地局。
【請求項１０】
前記基地局は、無送信区間（ＧＰ；２０４2）の間にユーザ機器が受信する前記第１の数のシンボル（２２６ａ）に関するパラメータを示す情報、または前記第２の数のシンボル（２２６ｂ；２２６ｃ）に関するパラメータを示す情報を別の基地局に通信するように構成される、請求項６ないし請求項９のいずれかに記載の基地局。
【請求項１１】
前記基地局は、追加のシンボルの数、追加のシンボルが送信される電力レベルおよび周波数帯域のうちの少なくとも１つで、前記別の基地局と一致するように構成される、請求項１０に記載の基地局。
【請求項１２】
前記基地局は、別の通信ネットワークノード（５００；５００ａ，５００ｂ，６００，６００ａ，６００ｂ）から受信した情報に基づいて前記無線通信ネットワークセル（１００；１００1，１００2）の制御を適応させるように構成され、前記情報は、さらなる無送信区間（ＧＰ；２０４2）の間に別の無線通信ネットワークセル（１００2）のさらなるユーザ機器（５００ｂ）が受信する複数のシンボルに関するパラメータを示す、またはさらなる上りリンクシンボル（１１６；２０４3）に先行して前記さらなるユーザ機器（５００ｂ）が送信する複数のシンボルに関するパラメータを示す、請求項６ないし請求項１１のいずれかに記載の基地局。
【請求項１３】
前記基地局は、送信時間間隔レベルまたは準静的レベルでユーザ機器（５００；５００ａ，５００ｂ）を制御するように構成される、請求項６ないし請求項１２のいずれかに記載の基地局。
【請求項１４】
前記基地局は、前記基地局（６００；６００ａ，６００ｂ）における前記無送信区間（ＧＰ；２０４2）の持続時間を通常の作動と比較して減少させるために、前記無線通信ネットワークセル（１００；１００1，１００2）におけるデータ送信のための前記無送信区間（ＧＰ；２０４2）の時間間隔を割り当てるように構成される、請求項６ないし請求項１３のいずれかに記載の基地局。
【請求項１５】
請求項６ないし請求項１４のいずれかに記載の基地局（６００；６００ａ，６００ｂ）と、
請求項１ないし請求項５のいずれかに記載の第１のユーザ機器（５００ａ）と
請求項１ないし請求項５のいずれかに記載の第２のユーザ機器（５００ｂ）と、
を備える、無線通信ネットワーク（７００；１３００）。
【請求項１６】
前記第１のユーザ機器（５００ａ）は、前記基地局（６００；６００ａ，６００ｂ）への第１の伝搬遅延（δ1）を含み、前記無送信区間（ＧＰ；２０４2）の間に第１のシンボル数（２２６ａ）を受信するように構成される、または上りリンクシンボル（１１６、２０４3）に先行するシンボルを前記第２の数（２２６ｂ；２２６ｃ）に送信するように構成され、
前記第２のユーザ機器は、前記基地局（６００；６００ａ，６００ｂ）への第２の伝搬遅延（δ2）を含み、前記第２の伝搬遅延（δ2）は前記第１の伝搬遅延（δ1）よりも短く、前記第２のユーザ機器（５００ｂ）は、前記無送信区間（ＧＰ；２０４2）の間に第３の数のシンボルを受信するように構成される、または上りリンクシンボル（１１６；２０４3）に先行するシンボルを第４の数のシンボルに送信するように構成され、そして、
前記第３の数のシンボルは、前記第１の数のシンボル（２２６ａ）よりも大きく、前記第４の数のシンボルは、前記第２の数のシンボル（２２６ｂ；２２６ｃ）
よりも大きい、請求項１５に記載の無線通信ネットワーク。
【請求項１７】
前記第１のユーザ機器（５００ａ）は、前記基地局（６００；６００ａ，６００ｂ）から、かつ前記無送信区間（ＧＰ；２０４2）の間に、前記第１の数のシンボルを受信するように構成され、
前記第２のユーザ機器（５００ｂ）は、前記上りリンクシンボル（１１６；２０４3）に先行するシンボルを第３の数のシンボルに送信するように構成され、そして、
前記基地局（６００；６００ａ，６００ｂ）において、第１の数のシンボル（２２６ａ）の送信と第３の数のシンボルの受信との間に時間間隔（２１２；ｓＧｕａｒｄ）が存在する、請求項１５または請求項１６に記載の無線通信ネットワーク。
【請求項１８】
前記基地局（６００ａ）は、第１の基地局であり、前記無線通信ネットワーク（１３００）の第１のセル（１００1）を作動するように構成され、
前記無線通信ネットワークは、前記無線通信ネットワーク（１３００）の第２のセル（１００2）を作動するように構成される第２の基地局（６００ｂ）を含み、前記第２のセル（１００2）と前記第１のセル（１００1）とは、オーバーラップ領域（１３０２）において重畳しており、
前記第１の基地局（６００ａ）および前記第２の基地局（６００ｂ）は、前記第１の基地局が使用する前記第１の数のシンボル（２２６ａ）または前記第２の数のシンボル（２２６ｂ；２２６ｃ）に関する情報を交換するように構成され、そして、
前記第１の基地局（６００ａ）は、前記第２の基地局（６００ｂ）から受信した情報に基づいて前記第１の数のシンボル（２２６ａ）または前記第２の数のシンボル（２２６ｂ；２２６ｃ）を適応させるように構成される、請求項１５ないし請求項１７のいずれかに記載の無線通信ネットワーク。
【請求項１９】
ユーザ機器に対する命令を含む無線信号を格納した非一時的記憶媒体であって、前記命令は前記ユーザ機器に対し、無送信区間（ＧＰ；２０４2）の間に第１の数のシンボル（２２６ａ）を受信するように命令し、前記無送信区間（ＧＰ；２０４2）はＴＤＤフレームの下りリンクシンボル（１１４；２０４1）と上りリンクシンボル（１１６；２０４3）との間に配置される、または前記命令は前記ユーザ機器に対し、サブフレームの間に前記上りリンクシンボル（１１６；２０４3）を送信し、そして前記上りリンクシンボル（１１６；２０４3）を送信する前に第２の数のシンボル（２２６ｂ：２２６ｃ）を送信するように命令し、
ここで前記命令は、前記第１の数のシンボル（２２６ａ）を受信する前に第１の周波数帯域（ｆ1）において前記下りリンクシンボル（１１４；２０４1）を受信し、第２の周波数帯域（ｆ3）において前記第１の数のシンボル（２２６ａ）を受信する、または、
前記上りリンクシンボル（１１６；２０４3）を前記第１の周波数帯域（ｆ1）において送信し、前記第２の数のシンボル（２２６ｂ；２２６ｃ）を第２の周波数帯域（ｆ3）において送信するための前記ユーザ機器に命令する、非一時的記憶媒体。
【請求項２０】
ＴＤＤ方式において作動される無線通信ネットワーク内のユーザ装置を、前記ＴＤＤ方式が複数のＴＤＤフレームを含むように作動する方法であって、各ＴＤＤフレームは、前記ＴＤＤフレームの下りリンクシンボル（１１４；２０４1）と上りリンクシンボル（１１６；２０４3）との間に配置される無送信区間（ＧＰ；２０４2）を含み、前記方法は、
前記無送信区間（ＧＰ；２０４2）の間に第１の数のシンボル（２２６ａ）を受信するステップ、または、
前記上りリンクシンボル（１１６；２０４3）を送信し、前記上りリンクシンボル（１１６；２０４3）を送信する前に第２の数のシンボル（２２６ｂ；２２６ｃ）を送信するステップ、
を含み、
前記第１の数のシンボル（２２６ａ）を受信する前に第１の周波数帯域（ｆ1）において前記下りリンクシンボル（１１４；２０４1）を受信し、第２の周波数帯域（ｆ3）において前記第１の数のシンボル（２２６ａ）を受信するステップ、または、
前記上りリンクシンボル（１１６；２０４3）を前記第１の周波数帯域（ｆ1）において送信し、前記第２の数のシンボル（２２６ａ；２２６ｃ）を第２の周波数帯域（ｆ3）において送信するステップ、を含む、方法。
【請求項２１】
ＴＤＤ方式において作動される無線通信ネットワークの無線通信ネットワークセル（１００；１００1，１００2）を制御するための基地局を前記ＴＤＤ方式が複数のフレームを含むように作動する方法であって、各ＴＤＤフレームは、前記ＴＤＤフレームの下りリンクシンボル（１１４；２０４1）と上りリンクシンボル（１１６；２０４3）との間に配置される無送信区間（ＧＰ；２０４2）を含み、前記方法は、
前記無送信区間（ＧＰ；２０４2）の間に第１の数のシンボル（２２６ａ）を送信するステップ、または、
前記上りリンクシンボル（１１６；２０４3）を受信し、前記上りリンクシンボル（１１６；２０４3）を受信する前に、第２の数のシンボル（２２６ｂ；２２６ｃ）を受信するステップ、
を含み、
前記下りリンクシンボル（１１４；２０４1）を第１の周波数帯域（ｆ1）において送信し、前記第１の数のシンボル（２２６ａ）を第２の周波数帯域（ｆ3）で送信するステップ、または、
前記上りリンクシンボル（１１６；２０４3）を前記第１の周波数帯域（ｆ1）において受信し、前記第２の数のシンボル（２２６；２２６ｃ）を前記第２の周波数帯域（ｆ3）において受信するステップを含む、方法。
【請求項２２】
コンピュータ上で実行されたときに請求項２０または請求項２１に記載の方法を実行する命令を格納するコンピュータ可読媒体を含む、非一時的コンピュータ・プログラム製品。
【発明の詳細な説明】
【技術分野】
【０００１】
本発明は、無線通信ネットワークまたはシステムの分野に関連し、特に、ユーザ装置、ベースステーション、それらの操作方法、無全通信ネットワーク、および、無線信号に関する。本発明は、さらに、超高信頼低遅延通信、無送信区間における高速通信に関する。
【０００２】
タイミングアドバンスは、ユーザ装置（ＵＥ：Ｕｓｅｒ  Ｅｑｕｉｐｍｅｎｔ）における、受信された下りリンクサブフレームの開始と送信された上りリンクサブフレームの開始との間の、負のオフセットである。ＵＥにおけるこのオフセットは、下りリンクおよび上りリンクサブフレームがｅＮｏｄｅＢで同期されるという保証が必要である。
【０００３】
ｅＮｏｄｅＢまたはｅＮＢから離れたＵＥはより大きな伝搬遅延に出くわし、その上りリンク送信は、ｅＮｏｄｅＢにより近いＵＥにと比較した場合、幾分進んでいる。図１４を参照して、タイミングアドバンスの原理は、２つのＵＥが存在するシナリオを用いて説明される。ＵＥ１はｅＮｏｄｅＢから離れて位置され、ＵＥ２はｅＮｏｄｅＢに近づいて位置する。δ１をＵＥ１に対して下りリンク上で実行される伝搬遅延させ、δ２をＵＥ２に対して下りリンク上で実行される伝搬遅延させる。ＵＥ１はＵＥ２と比較してｅＮｏｄｅＢからより遠い距離に位置し、δ１＞δ２と推定される。ｅＮｏｄｅＢが送信し終えたと仮定する場合、時間ｔ＿ｕ１＝ｔ１＋δ１でＵＥ１によって、および、時間ｔ＿ｕ２＝ｔ１＋δ２でＵＥ２によって示される、時間ｔ１で最後のＤＬシンボルである。ＵＥ１とＵＥ２の両方とも上りリンクサブフレームタイミングを計算するための基準として下りリンクサブフレームの到着（タイミングアドバンスとともに）を必要とする。
【０００４】
同じ伝播遅延値が下りリンク方向と上りリンク方向の両方に適用されると仮定すると、タイミングアドバンスは２×伝播遅延に等しい。したがって、第１のＵＬシンボルは、時間ｔ２＝ｔ１＋ｔＧＰにおいてｅＮＢで開始し、ここで、ｔＧＰは無送信区間の期間である。そのため、ＵＥ１はｔ２−２δ１に上りリンクを開始する必要があるのに対し、ＵＥ２はｔ２−２δ２に上りリンクを開始する必要がある。これは、（ＵＥ１およびＵＥ２からの）両方の上りリンク送信が同時にｅＮｏｄｅＢに到達することを確実にし、これは、ｅＮｏｄｅＢにおいて、上りリンクおよび下りリンクの両方のサブフレームがタイムアラインメントされることを意味する。
【０００５】
タイミングアドバンスが適用されない場合、サブフレーム＃ｎ＋１に対するＵＥ２からの上りリンク送信の開始は、サブフレーム＃ｎに対するＵＥ１からの上りリンク送信の終了とオーバーラップすることになる。サブフレーム＃ｎ内のＵＥ１とサブフレーム＃ｎ＋１内のＵＥ２とに同じリソースブロックが割り当てられると仮定すると、このオーバーラップは、ｅＮｏｄｅＢで受信失敗を引き起こす干渉を引き起こす。適切な値のタイミングアドバンスが適用されると、これらのサブフレームは衝突しない。
【０００６】
言い換えれば、下りリンクから上りリンクへの切り替えでは、上りリンク時間が遅延下りリンクと衝突するのを回避するために、無送信区間が必要とされる。
【０００７】
したがって、通信スループットを向上させる必要がある。無線通信システムにおいて高スループットを可能にする、すなわち無線通信ネットワークを介して送信される高データレートを可能にする手法を提供することが目的である。
【０００８】
この目的は、独立請求項に定義されている主題によって達成される。
【０００９】
本発明者らは、ＴＤＤモードの無送信区間が十分に活用されていないこと、および無送信区間中に無送信区間が基地局からユーザ機器へ、および／またはユーザ機器から基地局へのデータシンボルの送信に使用されうることを見出した。特に、ユーザ機器によって使用されていない期間、例えば、そのタイミングアドバンスのために無送信区間の全期間を必要としない場合、残りの期間を上りリンクおよび／または下りリンクにおけるデータ送信に使用することができる。
【００１０】
実施形態によれば、ユーザ機器は無線通信ネットワークで動作するように構成され、無線通信ネットワークはＴＤＤ方式で動作し、ＴＤＤ方式は複数のＴＤＤフレームを含み、各ＴＤＤフレームは下りリンクシンボルと上りリンクシンボルとの間に配置された無送信区間を含む。ユーザ機器は、無送信区間の間に第１のシンボル数を受信するように構成される、または上りリンクシンボルを送信し、上りリンクシンボルを送信する前に第２のシンボル数を送信するように構成されている。これは、上りリンクおよび／または下りリンク方向に送信されるシンボルの数を増やすことを可能にしえ、したがって、ワイヤレス通信ネットワークにおいて高いスループットを可能にしうる。いくつかの実施形態によれば、ユーザ機器は、ＴＤＤ方式におけるユーザ機器のタイミングアドバンスに基づいて第１のシンボル数または第２のシンボル数のカウントを決定するように構成される。ユーザ機器は、無送信区間の最大期間に関する情報を有してもよく、それ自体のタイミングアドバンスに関する情報を有してもよい。それに基づいて、ユーザ機器は、無送信区間の間の未使用時間を決定することができ、したがって、通常の通信を妨げることなく、無送信区間の間に受信および／または送信することができるシンボルの数を決定することができる。これにより、デバイスに依存した追加リソースの使用が可能になる。
【００１１】
さらなる実施形態は、ＴＤＤ方式で動作されている無線通信ネットワークの無線通信ネットワークセルを制御するように構成された基地局を提供し、ＴＤＤ方式は複数のＴＤＤフレームを含み、各ＴＤＤフレームは、ＴＤＤフレームの下りリンクシンボルおよび上りリンクシンボルの間に位置する無送信区間を含む。基地局は、無送信区間中に第１のシンボル数を送信するように、または上りリンクシンボルを受信し、上りリンクシンボルの受信に先立って第２のシンボル数を受信するように構成される。これは、無線通信ネットワークの高スループットを可能にしうる。
【００１２】
さらなる実施形態は、基地局が、基地局と通信しているユーザ機器を制御して、無送信区間の間に第１のシンボル数を受信するように構成される、または、サブフレームの間、シンボルを送信し、サブフレームのシンボルを送信する前に第２のシンボル数を送信するために、ユーザ機器を制御するように構成される。したがって、基地局は、無送信区間の間に追加のリソースを利用するようにユーザインターフェースを制御するように構成されうる。これは、追加のリソースの使用の高い信頼性を可能にしうる。
【００１３】
さらなる実施形態は、作動中の無線通信ネットワークセルにおける複数のユーザ機器にについて、第２のシンボル数の最大カウントを共通に制御するように構成されている基地局を提供する。例えば、基地局は、最大伝搬遅延の知識を有し、したがってそのセルにおける最大タイミングアドバンスについての知識を有しうる。それはさらに、無送信区間の最大持続時間についての知識を有し、したがって通信を妨げることなく無送信区間の間に送信されうるいくつかのシンボルを決定しうる。これは、制御が主要目的で実行されるので、追加のリソースの使用の高い信頼性を可能にしうる。
【００１４】
さらなる実施形態は、基地局を提供し、基地局は、基地局と通信する第１のユーザ機器および第２のユーザ機器を制御するように構成される。第２のユーザ機器は、無送信区間の間に第３のシンボル数を受信するために、またはさらなる上りリンクシンボルを送信し、さらなる上りリンクシンボルを送信する前に第４のシンボル数を送信するために制御されうる。基地局は、第１の数および第２の数の少なくとも１つ、および第３の数および第４の数の少なくとも１つが、第１および第２のユーザ装置に対してデバイス依存となるように第１および第２のユーザ装置を制御するように構成される。例えば、基地局は、例えば、それぞれの機器の伝搬遅延に基づいて、第１のユーザ機器および第２のユーザ機器に対する上りリンクサブフレームまたは下りリンクサブフレームに加えて、無送信区間中に送信または受信される異なる数のシンボルを割り当てうる。これにより、システムのスループットをさらに向上させることができる。
【００１５】
さらなる実施形態は、無線通信ネットワークのさらなる基地局に、無送信区間の間にユーザ機器が受信する第１のシンボル数に関するパラメータを示す情報、または第２のシンボル数に関するパラメータを示す情報を通信するように構成される基地局を提供する。無送信区間の間の通信について他の基地局に通知することによって、基地局間のセル間干渉を低減または防止することができる。
【００１６】
さらなる実施形態は、さらなる通信ネットワークノードから受信した情報に基づいて無線通信ネットワークセルの制御を適応させるように構成されている基地局を提供する。情報は、さらなる無送信区間の間に別の無線通信ネットワークセルのさらなるユーザ機器が受信するシンボルの数に関するパラメータを示す、またはさらなるサブフレームに先行してさらなるユーザ機器が送信するシンボルの数に関するパラメータを示す。無線通信ネットワーク自体の制御、その中でそれぞれ実行される通信、セル間干渉を低くするか、さらには防ぐことさえも可能である。
【００１７】
実施形態によれば、基地局は、下りリンクサブフレームの間に第１の周波数帯域でデータシンボルを送信し、第２の周波数帯域で第１のシンボル数を送信するように構成される。代替的または追加的に、基地局は、上りリンクサブフレームの間にシンボルを第１の周波数帯域において受信し、第２のシンボル数を第２の周波数帯域において受信するように構成される。したがって、受信または送信された追加のシンボルは、この方式の高い柔軟性、したがって高いスループットを可能にすることができる異なる周波数帯域で通信することができる。
【００１８】
さらなる実施形態は、本明細書に記載の実施形態による基地局と、本明細書に記載の実施形態による第１および第２のユーザ機器とを備える無線通信ネットワークを提供する。
【００１９】
さらなる実施形態は、ユーザ機器に、無送信区間の間に第１のシンボル数を受信するように命令し、またはサブフレームの間にシンボルを送信し、サブフレームの間にシンボルを送信する前に第２のシンボル数を送信するように命令する無線信号を提供する。
【００２０】
さらなる実施形態は、各ＴＤＤフレームが、ＴＤＤフレームの下りリンクシンボルと上りリンクシンボルとの間に配置される下りリンクシンボルと上りリンクとの間に配置される無送信区間を含むように、ＴＤＤ方式において作動される無線通信ネットワーク内のユーザ機器を、ＴＤＤ方式が複数のＴＤＤフレームを含むように作動する方法を提供する。方法は、無送信区間の間に第１のシンボル数を受信するステップ、または上りリンクシンボルを送信するステップと、上りリンクシンボルを送信する前に、第２のシンボル数を送信するステップとを備える方法を提供する。
【００２１】
さらなる実施形態は、ＴＤＤ方式において作動される無線通信ネットワークの無線通信ネットワークセルを制御するための基地局をＴＤＤ方式が複数のＴＤＤフレームを含むように作動する方法を提供し、各ＴＤＤフレームは、ＴＤＤフレームの下りリンクシンボルと上りリンクシンボルとの間に配置される無送信区間を含む。方法は、無送信区間中に第１のシンボル数を送信するステップ、または上りリンクシンボルを受信するステップと、上りリンクシンボルの受信の前に第２のシンボル数を受信するステップを含む。
【００２２】
さらなる実施形態は、コンピュータ上で実行されたときに請求項２１または請求項２２に記載の方法を実行する命令を格納するコンピュータ可読媒体を含む。
【００２３】
さらなる実施形態は、従属する請求項において定められる。
【００２４】
本発明の実施形態は、現在添付の図面に関してより詳細に記載される。
【図面の簡単な説明】
【００２５】
【図１】図１は、実施形態による例示的なネットワークインフラストラクチャの概略図を示す。
【図２】図２は、実施形態による異なる選択されたＴｘアンテナ・ポートに対して２つのアンテナ・ポートを有する例示的なＬＴＥ  ＯＦＤＭＡベースのサブフレームを示す。
【図３ａ】図３ａは、実施形態による下りリンクと上りリンクとの間で切り替えるためのＬＴＥにおける異なる構成を示す概略表を示す図である。
【図３ｂ】図３ｂは、ＬＴＥ規格による特別なサブフレームのための可能な構成を示す。
【図４ａ】図４ａは、ＬＴＥ規格による１０ｍｓの持続時間を有する無線フレームを表す概略ブロック図を示す。
【図４ｂ】図４ｂは、実施形態による無送信区間の可能な構成を示す概略図である。
【図４ｃ】図４ｃは、ＬＴＥによるタイミングアドバンスの原理を説明する概略図を示す。
【図５】図５は、実施形態によるユーザ機器の概略ブロック図を示す。
【図６】図６は、実施形態による基地局の概略ブロック図を示す。
【図７】図７は、実施形態による無線通信ネットワークの概略ブロック図を示す。
【図８】図８は、実施形態による、無送信区間中のシンボルの送信を示す概略ブロック図を示す。
【図９ａ】図９ａは、ＬＴＥのレガシーモードによるサブフレーム内の下りリンクパイロット、無送信区間、および上りリンクパイロットの順序の概略図を示す。
【図９ｂ】図９ｂは、図９ａのサブフレームに対応するサブフレームの概略的なセグメント化を示し、実施形態によれば、追加の上りリンクシンボルが無送信区間中に送信される。
【図９ｃ】図９ｃは、図９ａのサブフレームに対応するサブフレームの概略図を示し、実施形態によれば、追加の下りリンクシンボルが無送信区間中に送信される。
【図１０】図１０ａは、実施形態による異なる長さの短縮された無送信区間の概略図を示す。図１０ｂは、図１０ａによるシナリオを示し、追加のシンボルは、実施形態に従って下りリンクシンボルとして送信される。
【図１１】図１１は、実施形態による追加のシンボルの割り当てを表す概略ブロック図である。
【図１２ａ−１】図１２ａは、実施形態による追加の下りリンクシンボルを割り当てるための下りリンク制御情報メッセージを実装するために使用されうるメッセージの可能な内容を示す概略表を示す図である。
【図１２ａ−２】図１２ａは、実施形態による追加の下りリンクシンボルを割り当てるための下りリンク制御情報メッセージを実装するために使用されうるメッセージの可能な内容を示す概略表を示す図である。
【図１２ｂ−１】図１２ｂは、実施形態による特別サブフレームのための上りリンクグラントのための可能なＤＣＩメッセージの構造を示す概略表を示す図である。
【図１２ｂ−２】図１２ｂは、実施形態による特別サブフレームのための上りリンクグラントのための可能なＤＣＩメッセージの構造を示す概略表を示す図である。
【図１２ｃ】図１２ｃは、実施形態による無線リソース制御メッセージの少なくとも一部を実施するための擬似コードの例を示す図である。
【図１３ａ】図１３ａは、実施形態による無線通信ネットワークの概略ブロック図を示す。
【図１３ｂ】図１３ｂは、実施形態による基地局間で交換されるメッセージの内容を示す概略表を示す図である。
【図１３ｃ】図１３ｃは、実施形態による基地局の間で交換されているメッセージの内容を例示している概略表を示す。
【図１４】図１４は、ＬＴＥに従って、２つのＵＥが存在するシナリオを使用してタイミングアドバンスの原理が説明されることを示す。
【発明を実施するための形態】
【００２６】
以下では、本発明の好ましい実施形態が、同一または類似の機能を有する要素が同一の参照符号によって参照される添付の図面を参照してさらに詳細に説明される。
【００２７】
図１は、それぞれが各セル１００1〜１００5によって概略的に表される基地局を囲む特定のエリアにサービス提供する複数の基地局ｅＮＢ１〜ｅＮＢ５を含む無線通信システムのような、そのようなネットワークインフラストラクチャの一例の概略図である。基地局はセル内のユーザにサービスするために提供される。ユーザは、据え置き型の装置またはモバイル装置でありうる。さらに、無線通信システムは、基地局またはユーザに接続するＩｏＴデバイスによってアクセスされうる。図１は、５つのセルのみの例示的な図を示すが、無線通信システムはより多くのそのようなセルを含みうる。図１は、セル１００2内にあり、基地局ｅＮＢ２によってサービス提供される、ユーザ機器（ＵＥ）とも呼ばれる２人のユーザＵＥ１およびＵＥ２を示す。基地局ｅＮＢ４によってサービス提供される別のユーザＵＥ３がセル１００4に示されている。矢印１０２、１０２２および１０２３は、ユーザＵＥ１、ＵＥ２およびＵＥ３から基地局ｅＮＢ２、ｅＮＢ４にデータを送信するため、または基地局ｅＮＢ２、ｅＮＢ４からユーザＵＥ１、ＵＥ２、ＵＥ３にデータを送信するための上りリンク／下りリンク接続を概略的に表す。さらに、図１はセル１００4内の２つのＩｏＴ装置１０４１および１０４２を示しており、これらは固定装置またはモバイル装置でありうる。ＩｏＴデバイス１０４１は、矢印１０５１によって概略的に表されるようにデータを送受信するために基地局ｅＮＢ４を介して無線通信システムにアクセスする。矢印１０５２によって概略的に表されるように、ＩｏＴデバイス１０４２は、ユーザＵＥ３を介して無線通信システムにアクセスする。ＵＥ１、ＵＥ２、およびＵＥ３は、基地局と通信することによって無線通信システムまたはネットワークにアクセスすることができる。
【００２８】
無線通信ネットワークシステムは、直交周波数分割多重（ＯＦＤＭ：Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）システム、ＬＴＥ規格によって定義される直交周波数分割多元接続（ＯＦＤＭＡ：Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）システムのような、周波数分割多重に基づく任意のシングルトーン、またはたとえば、ＤＦＴ−ＳＯＦＤＭのようなＣＰを含むかもしくは含まないその他のＩＦＦＴベースの信号に基づくマルチキャリアシステムでありうる。多重アクセスのための非直交波形のような他の波形、例えば、フィルタバンクマルチキャリア（ＦＢＭＣ：Ｆｉｌｔｅｒｂａｎｋ  Ｍｕｌｔｉ  Ｃａｒｒｉｅｒ）を使用することができる。時分割多重化（時分割複信−ＴＤＤ）のような他の多重化方式が使用されうる。
【００２９】
データ伝送のためのＯＦＤＭＡシステムは、それぞれが７個のＯＦＤＭシンボルによって１２個のサブキャリアによって定義され、マッピングされている様々な物理チャネルおよび物理信号がそれに対応するリソース要素のセットを含む複数の物理リソースブロック（ＰＲＢ）を備えるＯＦＤＭＡベースの物理リソースグリッドを含みうる。リソースエレメントは、時間領域の１つのシンボルと周波数領域の１つのサブキャリアで構成されている。例えば、ＬＴＥ規格によれば、１．４ＭＨｚのシステム帯域幅は６つのＰＲＢを含み、１  ＰＢＲを含むＬＴＥ  Ｒｅｌ  １３規格のＮＢ−ＩｏＴエンハンスメントに従う２００ｋＨｚの帯域幅を含む。ＬＴＥおよびＮＢ−ＩｏＴに従って、物理チャネルは、下りリンクペイロードデータとも呼ばれるユーザ固有のデータを含む物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を含み、物理ブロードキャストチャネル（ＰＢＣＨ：Ｐｈｙｓｉｃａｌ  Ｂｒｏａｄｃａｓｔ  Ｃｈａｎｎｅｌ）は、例えば、マスター情報ブロック（ＭＩＢ：Ｍａｓｔｅｒ  Ｉｎｆｏｒｍａｔｉｏｎ  Ｂｌｏｃｋ）またはシステム情報ブロック（ＳＩＢ：Ｓｙｓｔｅｍ  Ｉｎｆｏｒｍａｔｉｏｎ  Ｂｌｏｃｋ）を含み、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）は、例えば、下りリンク制御情報（ＤＣＩ：Ｄｏｗｎｌｉｎｋ  Ｃｏｎｔｒｏｌ  Ｉｎｆｏｒｍａｔｉｏｎ）などを含む。物理信号は、参照信号（ＲＳ：Ｒｅｆｅｒｅｎｃｅ  Ｓｉｇｎａｌｓ）、同期信号などを含みうる。ＬＴＥリソースグリッドは、たとえば、１．４ＭＨｚの周波数領域において一定の帯域幅を有する、時間領域における１０ｍｓのフレームを含む。フレームは１ｍｓ長の１０個のサブフレームを有し、各サブフレームはサイクリックプレフィックス（ＣＰ：Ｃｙｃｌｉｃ  Ｐｒｅｆｉｘ）長に応じて６個または７個のＯＦＤＭシンボルの２つのスロットを含む。
【００３０】
図２は、異なる選択されたＴｘアンテナ・ポートに対して２つのアンテナ・ポートを有する例示的なＬＴＥ  ＯＦＤＭＡベースのサブフレームを示す。サブフレームは、それぞれがサブフレームの１つのスロットと周波数領域内の１２個のサブキャリアとからなる２つのリソースブロック（ＲＢ：Ｒｅｓｏｕｒｃｅ  Ｂｌｏｃｋ）を含む。周波数領域のサブキャリアは、サブキャリア０からサブキャリア１１として示されており、そして、時間領域では、各スロットは、たとえば、スロット０は、ＯＦＤＭシンボル０から６であり、そして、スロット１は、ＯＦＤＭシンボル７から１３であるように、７個のＯＦＤＭシンボルを含む。ホワイトボックス１０６は、ペイロード領域とも呼ばれるペイロードまたはユーザ・データを含む、ＰＤＳＣＨに割り当てられたリソース要素を表す。制御領域とも称される物理制御チャンネル（非ペイロードまたは非ユーザ・データを含む）のためのリソース要素は、ハッチングされたボックス１０８によって表される。例によれば、リソース要素１０８は、ＰＤＣＣＨ、物理制御フォーマットインジケータチャンネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、および物理ハイブリッドＡＲＱ（Ａｕｔｏｍａｔｉｃ  Ｒｅｐｅａｔ  ｒｅＱｕｅｓｔ：自動再送要求）インジケータチャンネル（ＰＨＩＣＨ：Ｐｈｙｓｉｃａｌ  Ｈｙｂｒｉｄ  ＡＱＲ  Ｉｎｄｉｃａｔｏｒ  Ｃｈａｎｎｅｌ）に割り当てられうる。クロスハッチングされたボックス１０７は、チャンネル推定に使用されうるＲＳ（ｃｅｌｌ−ｓｐｅｃｉｆｉｃ  Ｒｅｆｅｒｅｎｃｅ  Ｓｉｇｎａｌ：セル固有の参照信号）に割り当てられているリソース要素を表す。ブラックボックス１０８は、他のアンテナ・ポート内のＲＳに対応しうる現在のアンテナ・ポート内の未使用のリソースを表す。物理制御チャンネルおよび物理参照信号に割り当てられたリソース要素１０３、１０７、１０８は、時間が経つにつれて均等に分配されない。より具体的には、サブフレームのスロット０において、シンボル０およびシンボル１に関連付けられたリソース要素は、物理制御チャンネルまたは物理参照信号に割り当てられ、シンボル０および１内のリソース要素は、ペイロード・データに割り当てられない。サブフレームのスロット０のシンボル４に関連付けられたリソース要素、ならびにサブフレームのスロット１のシンボル７および１１に関連付けられたリソース要素は、部分的には、物理制御チャンネルまたは物理参照信号に割り当てられる。図２に示されるホワイトリソース要素は、ペイロード・データまたはユーザ・データに関連付けられたシンボルを含み、シンボル２、３、５、および６のスロット０に含まれる。すべてのリソース要素１０６はペイロード・データに割り当てられてもよく、一方、より少ないリソース要素１０６はスロット０のシンボル４のペイロード・データに割り当てられ、リソース要素１０６はシンボル０および１のペイロード・データに割り当てられない。スロット１では、シンボル８、９、１０、１２、および１３に関連するリソース要素はすべてペイロード・データに割り当てられ、シンボル７および１１では、より少ないリソース要素��ペイロード・データに割り当てられる。
【００３１】
図３ａは、ＬＴＥにおける異なる構成を示す概略表を示す。下りリンク（Ｄ）と上りリンク（Ｕ）との間の切り替えは、いわゆる特別なフレーム（Ｓ）で行われる。特別なフレームは、同時に基地局に到着するように、異なるユーザ機器のアップロードの同期を可能にする無送信区間を含むことができる。異なる上りリンク−下りリンク構成は、通信方式の無線フレーム内の特別なフレームの異なる位置に関連しうる。例えば、サブフレーム２０２１は、あらゆる構成において特別なフレームでありうる。構成０、１、２および６などのいくつかの構成は、サブフレーム２０２6内にさらなる特別なフレームを提供しうる。
【００３２】
特別なサブフレームを有する時分割複信（ＴＤＤ：Ｔｉｍｅ  Ｄｉｖｉｓｉｏｎ  Ｄｕｐｌｅｘ）または時分割多元接続（ＴＤＭＡ：Ｔｉｍｅ  Ｄｉｖｉｓｉｏｎ  Ｍｕｌｔｉｐｌｅ  Ａｃｃｅｓｓ）構成では、タイミングアドバンスに使用されるべき無送信区間は最大セルサイズと同じくらい大きい、すなわち最大のタイミングアドバンスが考慮される。ここで図３ｂを参照すると、特別なサブフレームについて可能な構成が示されている。無送信区間ＧＰが１〜１０個のシンボルの間で変動することが分かる。図３ｂは、数字３ＧＰＰの多様な構成における増加するサーブスイッチング機能（ＳＳＦ：Ｓｅｒｖｅ  Ｓｗｉｔｃｈｉｎｇ  Ｆｕｎｃｔｉｏｎ）の概要を示す。様々な構成について、下りリンクパイロットタイムスロット（ＤｗＰＴＳ：Ｄｏｗｎｌｉｎｋ  Ｐｉｌｏｔ  Ｔｉｍｅ  Ｓｌｏｔ）期間、上りリンクパイロットタイムスロット（ＵｐＰＴＳ：Ｕｐｌｉｎｋ  Ｐｉｌｏｔ  Ｔｉｍｅ  Ｓｌｏｔ）期間、ならびに下りリンク（Ｄｗ：Ｄｏｗｎｌｉｎｋ）、無送信区間（ＧＰ：Ｇｕａｒｄ  Ｐｅｒｉｏｄ）、および上りリンク（Ｕｐ）のスロット数が示されている。サブフレーム当たりの無送信区間に使用されるスロットの数は、構成４および８の１の数から構成０の１０の数の間で変わりうる。無送信区間に使用されるスロット１１２の数は、無送信区間前の下りリンクパイロットタイムスロットに使用されるスロット１１４と無送信区間後の上りリンクパイロットタイムスロットに使用されるスロットとの間に埋め込まれる。スロット１１４および１１６の数の持続時間１１７または１１８はそれらの数と共に増加する。したがって、無送信区間が続くスロットは、例えば、下りリンクスロットであり、無送信区間に続くスロットは上りリンクスロットである。
【００３３】
図４ａは、１０ｍｓの持続時間を有する無線フレームＮを表す概略ブロック図を示す。サブフレーム２０２0から２０２4は、フレームＮの第１のハーフフレームを形成することができ、サブフレーム２０２5から２０２9は、フレームＮの第２のハーフフレームを形成することができる。各サブフレーム２０２0から２０２9は、１ｍｓの持続時間を有することができる。図３ａに示される構成０、１、２、または６のうちの１つを参照するとき、サブフレーム２０２1および２０２6はいわゆる特別なフレームでありうる。例えば、サブフレーム２０２1は、スロット１１４を含む下りリンクパイロットタイムスロット（ＤｗＰＴＳ）として使用される第１のセクション２０４1と、それに続く少なくとも１つの上りリンクパイロットタイムスロット（ＵｐＰＴＳ）２０４3が続くスロット１１２を含む無送信区間２０４2とを含む。少なくとも１つの上りリンクスロットは、図３ｂにおいてＵｐＰＴＳ１１６として記載されている。図３ｂに関して説明したように、ＤｗＰＴＳ２０４１の間に、１つまたは複数の下りリンクシンボルがｅＮｏｄｅＢからユーザ機器に送信されうる。ＤｗＰＴＳは、送信されている１つまたは複数のシンボルを含むことができる。ＵｐＰＴＳの間、１つまたは複数のシンボルがユーザインターフェースからｅＮｏｄｅＢに送信されている。本明細書で説明される実施形態は、サブフレーム２０２1および／または２０２6の無送信区間などの無送信区間に関する。無送信区間の前に、最後のシンボルがｅＮｏｄｅＢからユーザ機器に下りリンクで送信される。無送信区間に続いて、第１のシンボルがユーザ機器からｅＮｏｄｅＢへ上りリンク送信される。本明細書に記載のいくつかの実施形態は、ＤｗＰＴＳおよび／またはＵｐＰＴＳの存在に関するが、実施形態はこれに限定されない。他の実施形態は、例えば下りリンクから上りリンクへの、すなわちＤｗＰＴＳおよび／ＵｐＰＴＳの不在下での直接切り替えを可能にすることができるような、他のタイプの移動通信に関することができる。そのようなシナリオでは、依然として最後の下りリンクシンボルとそれに続く無送信区間とそれに続く最初の上りリンクシンボルがありうる。
【００３４】
サブフレーム中の送信、例えば、上りリンクのみまたは下りリンクのみ、および／またはＤｗＰＴＳおよび／またはＵｐＰＴＳにおける送信は、本明細書では以後、通常の送信と呼ばれることがある。本明細書に記載の実施形態は、無送信区間の間の下りリンク方向および／または上りリンク方向におけるデータシンボルの追加の送信に関する。これは、ＤｗＰＴＳで受信されているシンボルのような最後の通常のシンボルの受信後にユーザ機器によって受信されているデータシンボルとして理解され、および／またはＵｐＰＴＳにおいて送信されているシンボルのような最初の通常の送信の前にユーザ機器によって送信されるデータシンボルとして理解されうる。これはまた、データ送信に使用されうる無送信区間中の短い送信時間間隔（ｓＴＴＩ）などのデータ送信を割り当てることとして理解されうる。この追加のデータ送信は、無線チャネル上での高いスループットを可能にしえ、したがって、高効率の無線通信を可能にしうる。
【００３５】
図４ｂは、無送信区間２０４2の可能な構成を示す概略図を示す。図３ｂに関連して説明したように、無送信区間ＧＰのために確保されたサブフレーム当たりのスロット数は、ＬＴＥにおけるＳＳＦ構成のような無線通信規格の仕様に依存しうる。無送信区間２０４2の期間は、基地局によって動作されるセルの最大サイズに関連して、および／またはセル内で動作されるユーザ機器の最大距離に基づいて、基地局によって設定されうる。
【００３６】
図４ｃは、タイミングアドバンスの原理を説明する概略図を示す。ｅＮＢは、しばらくしてユーザ機器に到着する送信フレームまたはサブフレームを形成した。無送信区間は、下りリンクと上りリンクとの間の切り替えのための最大時間を提供しえ、そして最大タイミングアドバンスを提供しうる。点線５２で示されるように、ｅＮＢへの上りリンクフレームの同期到着を可能にするために、ＵＥは、ｅＮＢからＵＥへの、およびＵＥからｅＮＢへの伝搬遅延が補償されるように、無送信区間ＧＰのある時間を使用することによって、タイミングアドバンスＴＡに従ってより早くその送信を開始する。下りリンクは、経路距離のために遅延する可能性がある。上りリンクタイミングアドバンスは、ｅＮＢによって指示されうる。そのため、タイミングアドバンスが低い場合、無送信区間は必要以上に長くなる可能性がある。本明細書に記載の実施形態によれば、この時間はまた、追加のシンボルを送信するためにおよび／または追加のシンボルを受信するためにいくつかのユーザ機器によって使用されうる。
【００３７】
図５は、ユーザ機器５００の概略ブロック図を示す。例えば、ユーザ機器は、無線ネットワークにアクセスするように構成されたモバイル端末または固定端末である。ユーザ機器５００は、代替として、ＩｏＴデバイスでありうる。ユーザ機器５００は、無線通信ネットワークにおいて動作するように構成される。無線通信ネットワークはＴＤＤ方式で作動することができる。ＴＤＤ方式は複数のＴＤＤフレームを含むことができ、各ＴＤＤフレームは、ＴＤＤフレームの下りリンクシンボルと上りリンクシンボルとの間に配置された無送信区間２０４2などの無送信区間を含むことができる。図３ａおよび図４ａを再び参照すると、下りリンクシンボルは、無送信区間の前に送信されている下りリンクサブフレーム内に配置されてもよく、および／またはＤｗＰＴＳ中に送信されたシンボルでありうる。上りリンクシンボルは、ＵｐＰＴＳの間に送信されるシンボルでありうるか、または無送信区間の後に送信される上りリンクサブフレームの中で送信されうる。ユーザ機器５００は、無送信区間の間にいくつかのシンボルを受信するように構成される。代替的または追加的に、ユーザ機器５００は、上りリンクシンボルを送信し、上りリンクシンボルを送信する前にいくつかのシンボルを送信するように構成される。簡略化すると、ユーザ機器は、追加のシンボルを受信するように、および／または無送信区間中に追加のシンボルを送信するように構成される。
【００３８】
後により詳細に説明されるように、無送信区間中に受信されるおよび／または上りリンクシンボルを送信する前に送信されるべきシンボルの数は、ユーザ機器５００によって使用されるタイミングアドバンスと相関されうる。例えば、基地局によって運用されるセルにおいて低いタイミングアドバンスを使用するユーザ機器は、無送信区間から使用される短い時間と相関しうる。低タイミングアドバンス（ＴＡ）を使用する例示的なユーザ機器は、高速スイッチングユーザ機器またはセル中心ユーザ機器でありうる。無送信区間は、最も遅いユーザ機器またはセル内で最も遠いユーザ機器によって要求される限り長くなりうるので、無送信区間は、低いＴＡを使用するユーザ機器によって使用されていない時間を提供しうる。この未使用時間は、無送信区間中に受信されている追加のシンボル数、および／または通常の上りリンクシンボルを送信する前に送信されている追加数のシンボルに対して少なくとも部分的に使用されうる。他のユーザ機器、例えばセル端ＵＥなどの高ＴＡを使用することができる。高いタイミングアドバンスは、同期のために使用されている大量の無送信区間に関連することがあり、したがって、無送信区間中に受信されているおよび／または上りリンクシンボルを送信する前に送信される少数のシンボルと相関することがある。
【００３９】
追加のシンボルは、データを送信すること、またはサウンディング参照信号（ＳＲＳ：Ｓｏｕｎｄｉｎｇ  Ｒｅｒｅｆｅｎｃｅ  Ｓｉｇｎａｌｓ）などの他の信号を送信することなど、任意の目的に使用することができる。例えば、無送信区間中に使用されるべき短い送信時間間隔（ｓＴＴＩ）および／または超高信頼性低待ち時間通信（ＵＲＬＬＣ：Ｕｌｔｒａ−ｒｅｌｉａｂｌｅ  Ｌｏｗ−ｌａｔｅｎｃｙ  ｃｏｍｍｕｎｉｃａｔｉｏｎｓ）を定義するとき、細かい粒度構成（ｆｉｎｅ  ｇｒａｎｕｌａｒ  ｃｏｎｆｉｇｕｒａｔｉｏｎ）が得られてもよい。
【００４０】
言い換えれば、ＴＤＤモードの無送信区間は、すべてのユーザ機器（ＵＥ）、セル中心およびセルエッジのＵＥがそれらのタイミングアドバンスに関して等しく扱われるので、あまり利用されていない。ＴＤＤモードのセルの場合、無送信区間は、ユーザ機器の実際のタイミングアドバンスに応じて、異なる方法で利用されることがある。したがって、セル中心ＵＥは、この期間中にデータまたはサウンディング参照信号（ＳＲＳ）を送信するために特別なサブフレーム中の無送信区間を利用することができる。
【００４１】
図６は、実施形態による基地局６００の概略ブロック図を示す。基地局６００は、ＴＤＤ方式で動作している無線通信ネットワークの無線通信ネットワークセルを制御するように構成される。基地局６００は、例えばユーザインターフェース５００が動作されうる無線通信ネットワークを動作させるように構成されうる。基地局６００は、無送信区間中に第１のシンボル数を送信するように、および／または上りリンクシンボルを受信するように、および上りリンクシンボルを受信する前にいくつかのシンボルを受信するように構成される。
【００４２】
図７は、無線通信ネットワーク７００のセル１００を動作させる基地局６００と、セル１００内の第１のユーザ機器５００ａおよび第２のユーザ機器５００ｂとを備える無線通信ネットワーク７００の概略ブロック図を示す。無線通信ネットワーク７００は、セル１００内に１つの基地局６００と２つのユーザ機器５００ａおよび５００ｂとを備えるものとして説明されているけれども、他の実施形態によれば、無線通信ネットワーク７００は、本明細書で説明される例を限定することなく、さらなる基地局および／またはさらなるユーザ機器および／またはさらなるセルを備えることができる。
【００４３】
ユーザ機器５００ｂは、いわゆるセルエッジユーザ機器とすることができ、ユーザ機器５００ａは、ユーザ機器５００ｂの伝搬遅延δ２と比較したときに、基地局６００へまたは基地局６００からのより低い伝搬遅延δ１に直面する可能性がある。伝搬遅延は、基地局６００とそれぞれのユーザ機器５００ａおよび５００ｂとの間の距離と相関しうる。距離が長いほど、伝搬遅延は長くなる可能性がある。他の例によれば、ユーザ機器５００ｂは、より高い伝搬遅延を備えるが、ユーザ機器５００ａと比較したときに、基地局６００へのより短い距離で配置されうる。例えば、散乱または他の影響により、同じまたはさらに短い距離では、より高い伝搬遅延δ１またはδ２に直面する可能性がある。
【００４４】
基地局６００は、例えば、図３ｂに関連して説明したような構成を用いて、無送信区間が特定の時間長またはシンボルを含むように無線通信ネットワーク７００のセル１００を動作させるように構成されうる。より小さい距離または伝搬遅延δ２に基づいて、ユーザ機器５００ａは、ユーザ機器５００ｂと比較した場合、より低いＴＡを使用することができ、したがって、ユーザ機器５００ｂと比較した場合、追加のデータ送信に対してより高度に無送信区間を利用することができる。例えば、ユーザ機器５００ａは、より多数の追加のシンボルを送信してもよく、および／またはより多数の追加のシンボルを受信しうる。
【００４５】
図８は、実施形態による、無送信区間２０４2の間にシンボルの送信を示す概略ブロック図を示す。ＵｐＰＴＳ２０４3において、例えばｓＴＴＩ２０６2〜２０６4においてシンボルを送信する前に、例えばｓＴＴＩ２０６1を使用して、無送信区間２０４2の共有または一部をデータ送信のために割り当てることができる。図８は、ｓＴＴＩ２０６2において上りリンクシンボルを送信する前にユーザ機器がデータシンボルを送信するように構成されているシナリオを示す。
【００４６】
図３ｂを再び参照すると、無送信区間２０４2におけるｓＴＴＩ２０６1のシェア２０８1は、１つの単一スロットの数と無送信区間のために予約されたスロットの数との間で変化しうる。好ましくは、その部分は、無送信区間の間少なくとも１つのスロットを維持するように、最大スロット数−１まで変化する。残りの短縮された無送信区間は、ショートガードまたはｓＧｕａｒｄと呼ばれることがある。しかし、無送信区間中にデータ交換を可能にするが、サブフレーム当たり少なくとも１スロットである無送信区間２０４2のシェア２０８2を含む短い無送信区間のｓＧｕａｒｄが残ってもよい。例えば、無送信区間が１０スロットの長さを含むとき、無送信区間２０４2における追加のデータ送信から最大９スロットが使用されうる。ｓＧｕａｒｄは、ＤｗＰＴＳと追加のシンボルとの間に配置されるように説明されているが、代替として、ＵｐＰＴＳと追加のシンボルとの間、または下りリンクに使用される追加のシンボルと上りリンクに使用される追加のシンボルとの間に配置されてもよい。上りリンクおよび／または下りリンクについての追加のシンボルの数は互いに異なり、たとえば、デバイスによっては異なる場合がある。例えば、ＵＥ５００ａの可能な追加の上りリンクシンボルの数は、ＵＥ５００ｂの可能な追加の上りリンクシンボルの数よりも大きい。あるいは、カウントが異なる方法で異なる場合がある。例えば、追加の上りリンクシンボルと下りリンクシンボルとの合計は、ＵＥごとに異なりうる。あるいは、追加の上りリンクシンボルの数はデバイスに依存して異なりうる。
【００４７】
図９ａは、ＬＴＥのレガシーモードによるサブフレーム内のＤｗＰＴＳ２０４1、無送信区間２０４2、およびＵｐＰＴＳ２０４3の順序の概略図を示す。
【００４８】
図９ｂは、図９ａのサブフレームに対応するサブフレームの概略的なセグメント化を示し、追加のシンボルは、上りリンクデータ送信ＵＬ  ｓＴＴＩのためにシェア２０６1内に提供される。矢印２１４によって示されるように、ＵＬ  ｓＴＴＩ２０６1において送信されるシンボルの長さ、持続時間または量は変化しうる。例えば、ｅＮｏｄｅＢなどの基地局によって提供される構成に基づき、デバイスに依存することがある。装置依存性は、装置の伝搬遅延および／または装置によって使用される切り替え時間に関連しうる。実施形態によれば、基地局は、下りリンクシンボルを第１の周波数帯域で送信し、第１のシンボル数を第２の周波数帯域で送信するように構成され、および／または上りリンクシンボルを第１の周波数帯域で受信し、第２の周波数帯域で第２のシンボル数を受信するように構成される。
【００４９】
図９ｃは、図９ａのサブフレームに対応するサブフレームの概略図を示す。ここで、シェア２０７1は下りリンクの目的のために提供されてもよく、すなわち、無送信区間中に送信されるシェア２０７1内で送信されるシンボルの数は、ＤｗＰＴＳのシンボルの後かつｓＧｕａｒｄ２１２の前に送信される。簡単に説明すると、基地局は、通常の動作と比較して、基地局における無送信区間の持続時間を短縮するように、無線通信ネットワークセルにおけるデータ送信のために無送信区間２０４2の時間間隔を割り当てるように構成されうる。そのような低減は、無送信区間中の送信をサポートするユーザ端末またはユーザ機器、すなわち、本明細書に記載の実施形態によるユーザ機器に適用可能でありうる。
【００５０】
したがって、無送信区間は上りリンク送信に使用されうる。これは、能力を有し、特定の要件、例えば処理速度、タイミングアドバンス、送信受信切替時間などを満たすＵＥに対して実施されうる。代替的または追加的に、無送信区間は下りリンク送信に使用されてもよい。これは、小さなタイミングアドバンスでＵＲＬＬＣデバイスによって使用されうる特別なサブフレームの無送信区間にｓＴＴＩを追加することによって実施されうる。代替的または追加的に、ユーザ機器に応じて異なる送信開始が設定されてもよい。これらの概念のうちの２つ以上は、下りリンク送信のために無送信区間を使用すること、およびＵＥに応じて異なる送信開始を設定することなど、互いに組み合わせることができる。これにより、処理時間に関する要件を減らすことができる。さらに、サブフレームの最初のｓＴＴＩの時間は変化しうる、すなわち、追加のシンボルが上りリンクに使用されうる。これは、デバイスに依存して、または無線通信ネットワーク自体に対してグローバルに実行されうる。下りリンクおよび／または上りリンク中に追加のシンボルが送信される基地局および／またはユーザ機器の動作モードは、ネットワークセル内のノードおよび／またはセル外のノードにシグナリングされうる。これは、例えば、下りリンクおよび上りリンクのためのフィールドを導入するときにＤＣＩを使用して、ＲＲＣ構成を使用して、および／またはアクティブ化のためにＲＮＴＩを使用して、実行されうる。追加のシンボル数の可能な値は、無送信区間の長さおよび／またはタイミングアドバンスに依存しうる。ｓＴＴＩモードは、サブフレームまたは自己完結型フレームの数個のＯＦＤＭシンボルのみの短い送信を可能にしうる。
【００５１】
言い換えれば、現在のＬＴＥでは、無送信区間は固定されている。最大処理時間および最大ｅＮｏｄｅＢまでの距離を考慮して実行される。セル中心の高速ＵＥははるかに早く切り替えることができ、この時間を送信に使用する可能性があるので、これは非効率的である。図９ｂおよび図９ｃは、より短い無送信区間およびより長い上りリンク送信または下りリンク送信を可能にする修正されたサブフレームを示す。図９ｂはＵＬ  ｓＴＴＩに基づくより長い上りリンク送信を示し、図９ｃはＤＬ  ｓＴＴＩに基づくより長い下りリンク送信を示す。両方の概念を組み合わせることができ、すなわちサブフレームは追加の上りリンクリソース２０６1および追加の下りリンクリソース２０７1を含むことができる。そのような場合、ｓＧｕａｒｄ２１２は、シェア２０６1とシェア２０７1との間に配置されてもよい。
【００５２】
したがって、より長い上りリンクおよび／または下りリンク時間を提供するために、セル中心ＵＥおよび／または高速スイッチングＵＥからｓＧｕａｒｄなどの一部のユーザについては、無送信区間を短縮することができる。シグナリングされうる値またはデータ量は、ユーザ機器の無送信区間（ＧＰ）長およびタイミングアドバンスに依存しうる。両方ともユーザ機器および基地局に知られている。これは、可能な値、すなわち下りリンクおよび上りリンク中の追加シンボルの最大カウントを制限することによってシグナリングオーバーヘッドを減らすために使用されうる。
【００５３】
図１０ａは、異なる長さのｓＧｕａｒｄ２１２1〜２１２3の概略図を示す。示されるように、基地局において、基地局がその最後のシンボルを送信したときに、ＤｗＰＴＳ２０４1は終了しうる。３つのＵＥ、ＵＥ１、ＵＥ２、およびＵＥ３は、異なる伝搬遅延に直面する可能性があり、異なるタイミングアドバンス値ＴＡ１、ＴＡ２およびＴＡ３を利用する可能性があり、ＴＡ１＞ＴＡ２＞ＴＡ３である。したがって、最も低いタイミングアドバンスを利用しているＵＥ３のシェア２０６1−３は、ＴＡ２を利用しているＵＥ２のシェア２０６1−２と比較したとき、より高くなりうる。タイミングアドバンスＴＡ１は、ＵＥ１がＵｐＰＴＳ２０４3の間に送信を開始するように、すなわちＵＥ１に追加の上りリンクスロットが提供されないように、しきい値を上回ってもよい。
【００５４】
図１０ｂは、追加のシンボルが下りリンクシンボルとして送信される図１０ａによるシナリオを示す。ユーザ機器ＵＥ１、ＵＥ２、およびＵＥ３のうちの1つのタイミングアドバンスが低いほど、シェア２０７1−３または２０７1−２は大きくなる可能性がある。
【００５５】
これは、周波数および時間にわたる柔軟性を可能にしうる、すなわち、受信されるべき追加のシンボルを各ユーザ機器に対して送信することを割り当てうる。したがって、特別なサブフレームは、可変ｓＧｕａｒｄおよび下りリンク／上りリンク送信の開始および終了時間を含みうる。上述のように、追加の下りリンクシンボルおよび追加の上りリンクシンボルは、１つまたは複数のユーザ機器に対して一緒に提供されうる。すなわち、ユーザ機器は追加の上りリンクシンボルおよび追加の下りリンクシンボルを使用することができる。代替的または追加的に、異なるユーザ機器は追加のシンボルのデバイス依存構成を使用してもよく、例えば、第１のユーザ機器は追加の下りリンクシンボルを使用し、第２のユーザ機器は追加の上りリンクシンボルを使用してもよい。代替的または追加的に、第１のユーザ機器は追加の上りリンクシンボルおよび追加の下りリンクシンボルを使用してもよい。ここで、第２のユーザ機器は、追加の上りリンクシンボルのみまたは追加の下りリンクシンボルのみを使用してもよく、または追加のシンボルを使用しなくてもよい。
【００５６】
図５を参照すると、ユーザ機器５００は、上りリンクおよび／または下りリンクの目的で追加のシンボルの数を使用するように構成されうる。シンボル数のカウントは、ＴＤＤ方式におけるユーザ機器５００のタイミングアドバンスに関連しうる。タイミングアドバンスを増加させることによって、シンボル数のカウントは減少しうる。タイミングアドバンスが減少するにつれて、シンボル数のカウントが増加する可能性がある。カウントは、基地局によって決定され、ＵＥに送信され、および／または、ＴＡを知っているのでＵＥによって決定されうる。
【００５７】
実施形態による追加のシンボルの割り当てを表す概略ブロック図である。ＤｗＰＴＳの間、第１のユーザ機器は、第１の周波数帯域ｆ1において基地局からデータ２２２ａを受信しうる。第２のユーザインターフェースは、第２の周波数帯域ｆ2で基地局からデータ２２２ｂを受信することができ、第３のユーザ機器は、第３の周波数帯域ｆ3で基地局からデータ２２２ｃを受信することができる。データ２２２ａ、２２２ｂおよび／または２２２ｃは、ＤｗＰＴＳの下りリンクシンボルまたは他の任意の下りリンクシンボルを含みうる。無送信区間２０４2において、追加の下りリンクシンボル２２６ａが第１の周波数帯域ｆ1で送信されてもよい。本明細書に記載の追加の上りリンクシンボルまたは下りリンクシンボルは、シェア２０６1および／または２０７1の間に送信されうる。さらに、追加の上りリンクシンボル２２６ｂが第１の周波数帯域ｆ1で送信されてもよく、シンボル２２６ａおよび２２６ｂはｓＧｕａｒｄ２１２1によって互いに分離されてもよい。さらなる周波数帯域ｆ3では、追加の上りリンクシンボル２２６ｃが無送信区間２０４2の間に送信されうる。追加の記号２２６ａ、２２６ｂおよび２２６ｃは、本明細書に記載の他の実施形態に関連して説明した部分２０６1および／または２０７1に対応することがある。周波数帯域ｆ1、ｆ2、およびｆ3は、データ２２２ａの受信のためにｆ1を使用して追加のシンボル２２６ａおよび２２６ｂがＵＥによって使用されるように、およびデータの２２２ｃの受信のためにｆ3を使用して追加のシンボル２２６ｃがＵＥによって使用されるように、特定のユーザ機器に割り当てられうる。あるいは、追加シンボル２２６ａ、２２６ｂおよび／または２２６ｃは、上りリンクおよび下りリンクデータを送信するために異なる周波数帯域を使用してユーザ機器から送信されてもよい。すなわち、ユーザ機器は、異なる周波数帯域ｆ3のシンボル２２６ｃなどの追加のシンボルを受信する前に、周波数帯域ｆ1などの第１の周波数帯域で下りリンクシンボル２２２ａなどの下りリンクシンボルを受信するように構成されうる。代替的にまたは追加的に、ユーザ機器は、周波数帯域ｆ3の上りリンクシンボル２２６ｃなどの上りリンクシンボルを送信し、ｆ1などの異なる周波数帯域でシンボル２２６ｂなどの追加のシンボルを送信するように構成されうる。
【００５８】
セル内の各ユーザ機器は、追加のシンボル数を受信する前に第１の周波数帯域で下りリンクシンボルを受信し、第２の周波数帯域ｆ3で追加のシンボル数を受信するように構成されえ、または、第１の周波数帯域ｆ1で上りリンクシンボルを送信し、第２の周波数帯域ｆ3で追加のシンボル数を送信するように構成されうる。原則として、ユーザ機器および基地局は、無送信区間の間に追加のリソースにアクセスするかまたはそれを割り当てるように構成されうる。ユーザ機器は、その通常の送信が行われる周波数帯域とは異なる周波数帯域で追加のシンボルを送受信することができる。
【００５９】
したがって、無線通信ネットワークでは、ユーザ機器は、シンボル２２６ａなどの追加のシンボルを受信するように構成されてもよく、同じまたは異なるユーザ機器が追加の信号２２６ｂを送信するように構成されてもよい。基地局６００などの基地局では、シンボル２２６ａの送信とシンボル２２６ｂの受信との間に時間間隔が存在してもよい、すなわち、無送信区間はゼロ以外の値に短縮されてもよい。
【００６０】
言い換えれば、図１１は、サブフレームにおける柔軟な無送信区間を示す。これは、無送信区間の完全に柔軟な割り当てに関連しうる。いくつかの概念が使用されうる。周波数分離（２２２ｂ＋２２４ｂ）による同じ搬送波におけるより長い下りリンク（２２０ａ＋２２６ａ）およびより長い上りリンク（２２６ｃ＋２２４ｃ）送信。これは、リソースのより効率的な使用法が、ユーザに第１の周波数帯域で受信させ、異なる周波数帯域で送信または送信させることを可能にしうる。さらに、セル中心ＵＥのような低タイミングアドバンスを備える実施形態によるユーザ機器は、第１の周波数帯域で受信するように構成されうる。ここで、高いＴＡを使用するセルエッジＵＥは、それらが高いタイミングアドバンスを使用するので、同じ周波数であるが上りリンクモードで送信するように制御されうる。ここで、伝搬遅延により、非常に早く送信されたシンボルは、セル中心ＵＥによって後で送信されたシンボルと同時に基地局に到着する。例えば、セル中心ＵＥは、周波数帯域ｆ1で追加のシンボル２２６を受信することができ、セル端ＵＥは、周波数帯域ｆ1でシンボル２２４ａを送信することができる。シンボル２２６ａを受信するユーザ機器は、例えばシンボル２２４ｂを送信するために周波数帯域ｆ2を使用することができる。
【００６１】
これらの概念は、ユーザ機器に対する要件を軽減することができ、それでもデータ送信のために無送信区間を効率的に利用することができる。ユーザ機器は、追加のシンボルをどこで（時間および周波数）受信または送信すべきかを示す情報を受信するように構成されうる。あるいは、ユーザ機器は、ＴＤＤ方式におけるユーザ機器のタイミングアドバンスに基づいて、下りリンクまたは上りリンクのための少なくとも追加のシンボルのカウントを決定するように構成されうる。タイミングアドバンスは、ユーザ機器によって知られていてもよい。タイミングアドバンスは、少なくともｓＧｕａｒｄの最小期間を維持しながら受信または送信されうる期間またはいくつかのシンボルに関連しうる。これは、基地局が追加のシンボルのために無送信区間２０４2の使用を単に可能にすることができるシンプルな構成を可能にすることができ、ここで、ユーザ機器はシンボルの量またはそのカウントを決定することができる。
【００６２】
したがって、基地局６００などの、本明細書に記載の実施形態による基地局は、無送信区間２０４2中にいくつかのシンボルを受信するように、基地局と通信するユーザ機器を制御するように構成されえ、および／または（第１の）上りリンクシンボルを送信し、上りリンクシンボルを送信する前にいくつかのシンボルを送信するようにユーザ機器を制御するように構成されうる。
【００６３】
基地局６００など、本明細書に記載の実施形態による基地局は、ユーザ機器によって追加的に送信されうるシンボル数の最大カウントを制御するように構成されうる。例えば、基地局は、ｓＧｕａｒｄの最小期間、すなわち、下りリンクと上りリンクとの間で未使用のままでなければならない無送信区間２０４2の一部を示すことができる。
【００６４】
基地局は、少なくとも第１および第２のユーザ機器、例えば、ユーザ機器５００ａおよび５００ｂを制御するように構成されうる。制御に基づいて、ユーザ機器５００ａおよび５００ｂのそれぞれは追加のシンボルを受信してもよく、および／または追加のシンボルを送信してもよい。基地局は、ユーザ機器５００ａまたは５００ｂのうちの１つに対する追加のシンボルの数のうちの１つまたは複数が第１のユーザ機器５００ａおよび第２のユーザ機器５００ｂに対してデバイス依存であるようにユーザ機器５００ａおよび５００ｂを制御するように構成されうる。例えば、デバイス依存性は、距離または伝搬遅延、および／または下りリンクと上りリンクとの間のユーザ機器におけるステップの切り替えによって引き起こされる遅延に関連しうる。
【００６５】
ユーザ機器の制御は、基地局によって複数の方法で実行されうる。図１２ａは、ＬＴＥ  ＴＤＤにおける特別なサブフレームのための下りリンク許可のための下りリンク制御情報（ＤＣＩ）メッセージを実装するために使用されうるメッセージ１２１０の可能な内容を図示する概略表を示す。メッセージ１２１０は、ｓＧｕａｒｄ送信と呼ばれることがあるフィールド１２１２を含むことができる。フィールド内のエントリまたは値は、下りリンク情報にいくつの追加のシンボルが含まれるか、すなわち、シンボル２２６ａのような追加のシンボルを指定することができる。例えば、２ビットの長さを含むフィールド１２１２は、４つの異なる値を可能にしえ、各値は追加の下りリンクシンボルのカウントに関連しうる。例えば、ゼロなどの第１の値は、追加の送信が無送信区間２２４2において実行されないという意味を有しうる。値１は、１つの追加のシンボルが送信されるという意味を有すると理解されうる。したがって、２の値は、２つの追加のシンボルが送信されるという意味を有しうる。３の値は、３つの追加のシンボルが送信されるという意味を有しうる。これらの値は例示にすぎず、本明細書に記載の実施形態を限定するものではない。値の各々は異なる意味を有してもよく、すなわち、追加のビットの異なるカウントと関連付けられてもよい。ＤＣＩメッセージ１２１０は、長さ２ビットを含むフィールド１２１２を有すると説明されているが、追加のシンボルが無送信区間２２４2中に送信されうることを示すために他のメッセージおよび／または他の長さのフィールドが使用されうる。例えば、１ビットの長さは、そのような追加の送信が有効または無効にされていることを既に示している可能性がある。前述のように、それに基づいて、ユーザ機器は、それ自体で、それ自体によって使用されるべきカウントを決定することができる。
【００６６】
図１２ｂは、ＬＴＥ  ＴＤＤにおける特別サブフレームのための上りリンク許可のための可能なＤＣＩメッセージの構造を例示する概略表を示す。メッセージ１２３０のフィールド１２３２は、ｓＧｕａｒｄ送信と呼ばれてもよく、例えば２ビットの長さを含んでもよい。フィールド１２３２の値は、ユーザ機器による上りリンク送信のためにいくつの追加のシンボルを使用することができるかを指定することができる。フィールド１２１２に関連して説明したように、フィールド１２３２の任意の値は、例えば、０個の追加シンボルと３個の追加シンボルとの間など、追加の上りリンクシンボルの任意の数または数と解釈または関連付けられうる。無線通信ネットワークセルの特定の実装に基づいて、他の値、例えば、１０シンボルの長さを有する無送信区間を使用するときに最大カウント９を有するものを使用することができる。言い換えれば、より長い上りリンク送信または下りリンク送信があることをＵＥにシグナリングするために、ＤＣＩフィールドが導入されうる。ＵＥに対して１つの長さしか設定されていない場合、または複数の長さのうちの１つがシグナリングされている場合、これは単純なブール値になりる。
【００６７】
図１２ｃは、追加のシンボルの数を制御するための無線リソース制御（ＲＲＣ）メッセージ１２５０の少なくとも一部を実施するための擬似コードの例を示す。ＲＲＣメッセージ１２５０は、下りリンクおよび／または上りリンクについての無送信区間送信をオンにするための情報を含みうる。例えば、コードブロック１２５２は、シンボル２２６ａのような追加の下りリンクフェーズ中に１〜９の間のいくつかのシンボルが送信されうるという命令を含むように実装されうる。代替的にまたは追加的に、メッセージ１２５０は、シンボル２２６ｂまたは２２６ｃなどの上りリンクシンボルの最大カウントが１から９の間で選択されるべきであることを決定する命令を含むコードブロック１２５４を含むことができる。ユーザ機器は、その通常の識別子に加えてさらなる識別子を使用してもよい。例えば、ユーザ機器は、無線ネットワーク識別子（ＲＮＴＩ）およびさらに無送信区間無線ネットワーク一時識別情報（ｇｐ−ＲＮＴＩ）を使用することができる。あるいは、他の任意の識別子が使用されてもよい。これは、ユーザ機器が無線通信ネットワーク内の２人の異なるユーザのうちの１人として扱われることを可能にしうる。通常の識別子を使用して（制御）メッセージを受信すると、ユーザ機器は、通常のユーザまたはレガシーユーザとしてネットワークにアクセスすることができる。追加の識別子または新しい識別子を使用してメッセージを受信するとき、ユーザ機器は、本明細書に記載の実施形態に従ってネットワークにアクセスすることができ、すなわち、無送信区間に間に追加のシンボルを受信または送信することができる。あるいは、ユーザ機器は、データ送信のために無送信区間を使用するように常に構成されてもよく、および／または異なる方法で制御されてもよい。ＲＮＴＩおよびｇｐ−ＲＮＴＩを再び参照するとき、ｇｐ−ＲＮＴＩスクランブルＤＣＩは、下りリンクおよび上りリンクグラントが使用されうることをシグナリングするために使用されうる。本明細書で提供されるメッセージまたは擬似コードは、実施形態を実現するための限定的な例ではない。実施形態を実施するために他の構造または他のコードを使用することができる。言い換えれば、メッセージ１２５０を使用して、ＧＰ送信の使用は、ＲＲＣシグナリングを使用して基地局によってオンにされうる。言い換えれば、追加のシンボルのパターンは、準静的（ｓｅｍｉ−ｓｔａｔｉｃ）でありえ、ＲＲＣまたはシステム情報ＳＩ内でシグナリングすることによって構成されうる。無送信区間は、ＤＣＩとの時間および／または周波数でのリソース割り当てによってユーザ機器に知られてもよい。（無送信区間の前または後の）特別なサブフレームに対するＤＬ／ＵＬ許可を含むＤＣＩメッセージは、通常のレガシーＲＮＴＩまたは新しいｇｐ−ＲＮＴＩのいずれかを用いてスクランブルされてもよい。前者の場合、無送信区間は保持される。新しいｇｐ−ＲＮＴＩが使用されるとき、無送信区間はｓＧｕａｒｄに短縮されてもよく、追加のシンボルはＤＬ／ＵＬ送信に使用されてもよい。
【００６８】
メッセージ１２１０、１２３０、または１２５０のうちの１つまたは複数は、基地局、たとえば基地局６００によって送信されうる。基地局は、送信時間間隔レベル（ＴＴＩレベル）または準静的レベルでユーザ機器を制御するように構成されうる。送信時間間隔レベルの例は、ＤＣＩメッセージ１２１０および１２３０に関連して与えられる。準静的レベルの例は、ＲＲＣメッセージ１２５０に関連して与えられる。ＴＴＩレベルでユーザ機器を制御することは、そのようなメッセージがあらゆるリソース割り当ての間に送信されうるので、追加リソースの非常に正確な割り当てを可能にしうる。これとは対照的に、準静的レベルは、ユーザ機器が基地局と関連付けられたままである限り有効のままでありうる。メッセージは一度送信されるだけでよいので、これは通信チャネルにおける低い負荷を可能にしうる。例えば、ユーザ機器が、例えば、そのＴＡを使用して、追加の信号のカウントをそれ自体で決定するとき、これは十分でありうる。言い換えれば、ＧＰ長は、特定のＵＥのタイミングアドバンスに依存しうる。活性化は、ＲＲＣ／ＳＩ／ＤＣＩ／ＳＰＳにおけるシグナリングを通じて実行されてもよく、すなわち、セル能力に依存してもよい。ＧＰ長を決定するために、位置特定情報、すなわちＧＰＳ座標などの座標、またはビーム形成器に関する情報、すなわちビームの方向などのさらなる情報を使用することができる。
【００６９】
図１３ａは、実施形態による無線通信ネットワーク１３００の概略ブロック図を示す。ワイヤレス通信ネットワーク１３００は、第１の基地局６００ａおよび第２の基地局６００ｂを含みうる。基地局６００ａはセル１００1を動作させるように構成されてもよく、基地局６００ｂは無線通信ネットワーク１３００のセル１００2を動作させるように構成されてもよい。セル１００1とセル１００2は、オーバーラップ領域１３０２で重畳してもよい。セルエッジ１３０４は、オーバーラップエリア１３０２に存在しうるが、セルエッジユーザ機器５００ａおよび５００ｂに隣接して、基地局６００ａおよび６００ｂのそれぞれから信号を受信しうる。セル間干渉を低減するために、基地局６００ａおよび６００ｂは、第１または第２の基地局６００ａまたは６００ｂによって追加的に送信されたシンボルの数に関する情報を交換するように構成されうる。代替的または追加的に、基地局６００ａおよび６００ｂのうちの少なくとも１つは、他の基地局から受信された情報に基づいて上りリンクおよび／または下りリンクに追加的に使用されるいくつかのシンボルを適応させるように構成されうる。そのような情報は、さらなる基地局またはユーザ機器などの他のあらゆるさらなる通信ネットワークノードから受信されうる。
【００７０】
図１３ｂは、セル間干渉が発生する可能性があり、無線通信ネットワーク１３００内の基地局６００ａと６００ｂとの間の情報交換に基づいて防止されるシナリオを示す。例えば、基地局６００ａは、周波数帯域ｆ1のシンボル２２６ａと周波数帯域ｆ2のシンボル２２６ｂとを追加で送信することを計画している。同じフレームに対して、基地局６００ｂは、周波数帯域ｆ1でシンボル２２６ｃを追加で送信し、そのユーザ機器が周波数帯域ｆ2でシンボル２２６ｄを追加で送信できるようにすることを計画している。セル１００1内の追加のシンボル２２６ａとセル１００2内の追加のシンボル２２６ｃとを同時に送信する一方で、セル１００1内の追加の下りリンクデータシンボル２２６ｂと、著しいセル間干渉を引き起こす可能性があるセル１００2内の追加の上りリンクシンボル２２６ｄとを同時に送信することはできない。基地局６００ａと６００ｂとの間のデータ交換および／またはシンボル数の適応、例えばシンボル数２２６ｂまたはシンボル数２２６ｄの減少に基づく、そのようなセル間干渉は低減または防止されうる。したがって、本明細書で説明される実施形態は、１つまたは複数のセルまたはノードへの干渉を最小限に抑えるためのｅＮｏｄｅＢ間の調整に関する。
【００７１】
したがって、少なくとも１つの基地局６００ａまたは６００ｂは、他の基地局から受信された情報に基づいて無線通信ネットワークセルの制御を適応させるように構成されうる。情報は、さらなる無送信区間中にさらなる無線通信ネットワークセルのさらなるユーザ機器によって受信されるべきシンボルの数に関するパラメータを示してもよく、またはさらなる上りリンクシンボルの前にさらなるユーザ機器によって送信されるべきシンボルの数に関するパラメータを示してもよい。例えば、ユーザ機器５００ａは基地局６００ａに関連付けられてもよい。ここで、ユーザ機器５００ｂは基地局６００ｂと関連付けられてもよい。基地局６００ａと６００ｂとの間で情報を交換することによって、それぞれのセル１００1または１００2においてそれぞれのユーザ機器がどのように動作するか、両方の基地局は、無線通信ネットワーク１３００全体で高い全体スループットを提供するように、追加のシンボルの数または数、および／または追加のシンボルが送信される電力レベルおよび／または周波数帯域について合意することができる。
【００７２】
言い換えれば、隣接セル１００1および１００2における送信が他のＵＥおよびｅＮｏｄｅＢへの干渉を引き起こす可能性があることを考慮すると、複数のセル間のある程度の調整は、ＵＬ送信およびＤＬ送信の衝突レベルの低減を可能にする。したがって、実施形態によれば、基地局６００ａおよび６００ｂなどの複数のｅＮｏｄｅＢは、それらのターゲットとなるｓＧｕａｒｄ送信許可を交換することができる。これは、各サブバンドに対するエントリからなるベクトルに対して実行されてもよく、および／または全周波数バンドに対して有効なスカラを含んでもよい。さらに、ｅＮｏｄｅＢは、この設定が維持される期間について合意することができる。基地局間の調整が実行されないとき、セル間干渉が発生する可能性があり、これは、誤り訂正などの対応するメカニズムによって補償される可能性がある。
【００７３】
図１３ｃは、基地局６００ａと６００ｂとの間で交換されているメッセージ１３５０の内容を示す概略表を示す。フィールド１３５２は、例えば、少なくとも１つのサブバンドについて、または１つより多くのサブバンドについて、フィールド１２１２、１２３２および／または１２５２／１２５４に関して説明したように、サブバンドあたりのｓＧｕａｒｄ送信ビットを有するベクトルに関する情報を含むことができる。さらに、フィールド１３５４は、継続期間、仕様がどのくらいの期間維持されるべきかに関する情報を含むことができる。
【００７４】
代替的または追加的に、基地局６００ａおよび／または６００ｂは、追加の下りリンクシンボルおよび／または追加の上りリンクシンボルに関するパラメータを示す情報を他の基地局と通信するように構成されてもよい。そのようなパラメータの例は、どの周波数で追加のシンボルが潜在的に送信または受信されるか、および／またはどの電力レベルであり、ＵＥおよびｅＮｏｄｅＢのパラメータが考慮されてもよい。例えば、低い電力レベルでのみ送信する場合、ＵＥからの信号品質およびＵＥへの信号品質が非常に高いシナリオと比較して、少量のセル間干渉が基地局によって受け入れられる可能性がある。
【００７５】
本明細書に記載の実施形態はまた、ユーザ機器のための命令を含む無線信号に関する。命令は、無送信区間中に追加のシンボルを受信するようにユーザ機器に指示するように構成され、無送信区間は下りリンクシンボルと上りリンクシンボルとの間に配置される、または上りリンクシンボルを送信する前に少なくとも１つの追加のシンボルを送信するようにユーザ機器に指示する。
【００７６】
さらなる実施形態は、ユーザ機器を操作するための方法に関する。方法は、無送信区間中に第１のシンボル数を受信すること、および／または上りリンクシンボルを送信すること、および上りリンクシンボルを送信する前に第２のシンボル数を送信することを備える。
【００７７】
さらなる実施形態は、基地局を動作させるための方法に関する。方法は、無送信区間中に第１のシンボル数を送信すること、または上りリンクシンボルを受信すること、および上りリンクシンボルの受信の前に第２のシンボル数を受信することを含む。
本明細書で説明されるユーザ機器に関する詳細は、基地局に相補的に対応してもよく、またはその逆でもよい。すなわち、ユーザ機器によって受信されたシンボルは、基地局またはユーザ機器のいずれかに適用される無送信区間をさらにアクセスするための構成が対応する他の通信相手にも適用されうるように基地局によって送信されうる。
【００７８】
更なる実施例は、コンピュータに実行されるときに、ユーザ機器および／または基地局を作動する方法を操作する方法を実施する指示を保存している計算機可読の媒体を含む非一時的コンピュータ・プログラム製品に関する。
【００７９】
本願明細書において記載されている実施例は、すべてのＵＥｓ、セル中心およびセルエッジＵＥｓが等しく処理されることができるので、ＴＤＤモードの無送信区間が十分に活用しなくされる課題の中で解決することを可能にする。
【００８０】
記載された概念のいくつかの態様が装置という脈絡の中で記載されていた場合であっても、該態様も、対応する方法の説明を表現するものとして理解される。その結果、ブロックまたは装置の要素は、それぞれの方法のステップに対応するか、または方法ステップの特徴として理解されうる。類推によって、態様は、それとともに記載されていたか、または、方法ステップもブロックに対応し、または装置に対応する詳細あるいは特性の説明を表す。
【００８１】
本発明による若干の実施の形態は、本願明細書において記載される方法のうちの一つが実行されるように、プログラミング可能なコンピュータシステムと協働することができる電子的に読み込み可能な制御信号を有するデータキャリアを含む。
【００８２】
通常、本発明の実施の形態は、プログラムコードを有するコンピュータ・プログラム製品として実施され、コンピュータ・プログラム製品がコンピュータ上で実行する場合、プログラムコードは、いくつかの方法を実行するために作動される。プログラムコードは、例えば、機械可読キャリアに格納される。他の実施形態は、本願明細書において記載される方法のうちの一つを実行するためのコンピュータ・プログラムを含み、コンピュータ・プログラムが、機械可読キャリアに格納される。
【００８３】
換言すれば、従って、コンピュータ・プログラムがコンピュータ上で実行する場合、本発明の方法の実施の形態は、本願明細書において記載される方法のうちの一つを実行するためのプログラムコードを有するコンピュータ・プログラムである。
【００８４】
従って、本発明の方法のさらなる実施の形態は、本願明細書において記載される方法のうちの一つを実行するためのコンピュータ・プログラムを含むデータキャリア（または、デジタル記憶媒体、またはコンピュータ可読媒体）である。
【００８５】
従って、本発明の方法のさらなる実施形態は、本願明細書において記載される方法のうちの一つを実行するためのコンピュータ・プログラムを表しているデータストリームまたは一連の信号である。例えば、データストリームまたは一連の信号は、データ通信接続、例えば、インターネットを介して転送されるように構成されうる。
【００８６】
さらなる実施の形態は、本願明細書において記載される方法のうちの一つを実行するために構成され、または適応される処理手段、例えば、コンピュータ、またはプログラミング可能な論理回路を含む。
【００８７】
さらなる実施の形態は、その上にインストールされ、本願明細書において記載される方法のうちの一つを実行するためのコンピュータ・プログラムを有するコンピュータを含む。
【００８８】
いくつかの実施の形態において、プログラミング可能な論理回路（例えば、現場でプログラム可能なゲートアレイ（ＦＰＧＡ：Ｆｉｅｌｄ  Ｐｒｏｇｒａｍｍａｂｌｅ  Ｇａｔｅ  Ａｒｒａｙ））が、本願明細書において記載されるいくつかまたは全ての機能を実行するために使用されうる。いくつかの実施の形態において、現場でプログラム可能なゲートアレイは、本願明細書において記載される方法のいくつかを実行するために、マイクロプロセッサと協働しうる。一般に、いくつかの実施の形態において、方法は、いくつかのハードウェア装置によって、好ましくは実行される。
【００８９】
上述した実施の形態は、本発明の原則の例を表すだけである。本願明細書において記載される装置および詳細の修正および変更は、他の当業者にとって明らかであるものと理解される。こういうわけで、記述の手段および実施の形態の議論によって、本願明細書において表された明細書の詳細な記載によりはむしろ、以下の請求項の範囲によってのみ制限されるように意図する。
【図１】
0006972127.tif 000002
【図２】
0006972127.tif 000003
【図３ａ】
0006972127.tif 000004
【図３ｂ】
0006972127.tif 000005
【図４ａ】
0006972127.tif 000006
【図４ｂ】
0006972127.tif 000007
【図４ｃ】
0006972127.tif 000008
【図５】
0006972127.tif 000009
【図６】
0006972127.tif 000010
【図７】
0006972127.tif 000011
【図８】
0006972127.tif 000012
【図９ａ】
0006972127.tif 000013
【図９ｂ】
0006972127.tif 000014
【図９ｃ】
0006972127.tif 000015
【図１０】
0006972127.tif 000016
【図１１】
0006972127.tif 000017
【図１２ａ−１】
0006972127.tif 000018
【図１２ａ−２】
0006972127.tif 000019
【図１２ｂ−１】
0006972127.tif 000020
【図１２ｂ−２】
0006972127.tif 000021
【図１２ｃ】
0006972127.tif 000022
【図１３ａ】
0006972127.tif 000023
【図１３ｂ】
0006972127.tif 000024
【図１３ｃ】
0006972127.tif 000025
【図１４】
0006972127.tif 000026